(57)【要約】【課題】受付作業の効率を向上させることができる入館受付システムおよび入館受付方法を提供する。【解決手段】ＢＭＳ１の一覧作成部１４は、業者台帳１７１と保全スケジュール１７２から所定の日時に作業を行う所定の業者の一覧表を作成して入館受付端末２に送信する。入館受付端末２は、その一覧表に含まれる携帯電話機の番号と、来訪者認証部２５により取得された来訪者の携帯電話機の発信者番号と比較し、これらが一致する場合には来訪者の入館を許可し、一致しない場合には来訪者の入館を許可しないようにする。これにより、従来のようにＩＤやパスワードの発行、クレジットカードの認証などの来訪者の受付時における作業が不要となるので、結果として、受付作業の効率を向上させることができる。【選択図】  図１
2009245097.tif 000002
【特許請求の範囲】
【請求項１】
所定の建造物に対して行われる作業の予定に関するスケジュール情報と、前記作業を行う作業者の識別情報の一覧に関する作業者台帳とを予め記憶する記憶手段と、
前記スケジュール情報と前記作業者台帳とから、所定の日時に前記作業を行う作業者の識別情報の一覧表を作成する作成手段と、
来訪者の識別情報を取得する取得手段と、
この取得手段により取得された識別情報と、前記一覧表に含まれる識別情報とが一致する場合には前記来訪者の入館を許可し、一致しない場合には前記来訪者の入館を許可しないと判定する判定手段と、
この判定手段による判定結果を出力する出力手段と
を備えたことを特徴とする入館受付システム。
【請求項２】
前記一覧表は、各作業について前記建造物の管理者が確認をしたか否かに関する確認情報をさらに含み、
前記確認情報に基づいて、未確認の作業について前記管理者に問い合わせを行う確認手段をさらに備える
ことを特徴とする請求項１記載の入館受付システム。
【請求項３】
前記識別情報は、電話番号からなり、
前記取得手段は、前記来訪者の携帯電話機からの着信時に通知される前記識別情報を取得する
ことを特徴とする請求項１または２記載の入館受付システム。
【請求項４】
記憶手段が、所定の建造物に対して行われる作業の予定に関するスケジュール情報と、前記作業を行う作業者の識別情報の一覧に関する作業者台帳とを予め記憶する記憶ステップと、
一覧作成手段が、前記記憶手段に記憶された前記スケジュール情報と前記作業者台帳とから、所定の日時に前記作業を行う作業者の識別情報の一覧表を作成する作成ステップと、
情報取得手段が、来訪者の識別情報を取得する取得ステップと、
前記情報取得手段が来訪者の識別情報を取得すると、判定手段が、前記一覧表を参照して前記取得ステップにより取得された識別情報と、前記一覧表に含まれる個人情報とが一致する場合には前記来訪者の入館を許可し、一致しない場合には前記来訪者の入館を許可しないと判定する判定ステップと、
出力手段が、前記判定ステップによる判定結果を出力する出力ステップと
を備えたことを特徴とする入館受付方法。
【発明の詳細な説明】
【技術分野】
【０００１】
本発明は、建造物に入館する際に受付作業を行う入館受付システムおよび入館受付方法に関するものである。
【背景技術】
【０００２】
テナントビルや研究施設などの建造物への利用者の入退館管理を行っている施設では、通常、他に空調設備、防犯設備、防災設備、放送設備などの各種管理も行っている。なかでも、設備の保全管理を行うＢＭＳ（Building Management System）では、建造物の設備毎に定められている点検等の作業を管理する作業台帳やその作業を行う業者を管理するための業者台帳などにより、保全に関する項目やスケジュールの管理を行っている。このＢＭＳでは、予め定められた保全に関するスケジュールに基づき、本日実施する作業について、作業を行う業者、時間帯、作業内容などに関する情報を作業台帳や業者台帳から抽出し、これを守衛所などの建造物の受付を行う部署に出力している。この出力された情報と来訪者とを照合することにより、受付の担当者は来訪者の管理を行っている。
【０００３】
上述したようなＢＭＳでは、近年、受付作業の効率向上のために様々な提案がなされている。例えば、外部業者を予め登録してＩＤやパスワードを発行しておき、入館する際にそのＩＤとパスワードを入力することによって、入館受付を自動化することが提案されている（例えば、特許文献１参照。）。また、来訪者の受付をクレジットカードを用いて行うことも提案されている（例えば、特許文献２参照。）。
【０００４】
【特許文献１】特開２００５−４４２０６号公報
【特許文献２】特開２００５−１４９３６２号公報
【発明の開示】
【発明が解決しようとする課題】
【０００５】
しかしながら、例えば外部業者を登録する場合、出入りする外部業者は様々な作業を短時間で複数の不特定の人が行うことが多く、かつ、入館時間も短時間に集中することが多いため、最初にＩＤやパスワードの発行する際に時間がかかり、結果として、受付作業の効率向上を図ることが困難であった。また、クレジットカードを用いる場合は、毎回認証機関に対して問い合わせしなければならず、時間と手間がかかるため、受付作業の効率を向上させることが困難であった。
【０００６】
そこで、本発明は、受付作業の効率を向上させることができる入館受付システムおよび入館受付方法を提供することを目的とする。
【課題を解決するための手段】
【０００７】
上述したような課題を解消するために、本発明に係る入館受付システムは、所定の建造物に対して行われる作業の予定に関するスケジュール情報と、作業を行う作業者の識別情報の一覧に関する作業者台帳とを予め記憶する記憶手段と、スケジュール情報と作業者台帳とから、所定の日時に作業を行う作業者の識別情報の一覧表を作成する作成手段と、来訪者の識別情報を取得する取得手段と、この取得手段により取得された識別情報と、一覧表に含まれる識別情報とが一致する場合には来訪者の入館を許可し、一致しない場合には来訪者の入館を許可しないと判定する判定手段と、この判定手段による判定結果を出力する出力手段とを備えたことを特徴とする。
【０００８】
上記入館受付システムにおいて、一覧表は、各作業について建造物の管理者が確認をしたか否かに関する確認情報をさらに含み、確認情報に基づいて、未確認の作業について管理者に問い合わせを行う確認手段をさらに備えるようにしてもよい。
【０００９】
上記入館受付システムにおいて、識別情報は、電話番号からなり、取得手段は、来訪者の携帯電話機からの着信時に通知される識別情報を取得するようにしてもよい。
【００１０】
また、本発明に係る入館受付方法は、記憶手段が、所定の建造物に対して行われる作業の予定に関するスケジュール情報と、作業を行う作業者の識別情報の一覧に関する作業者台帳とを予め記憶する記憶ステップと、一覧作成手段が、記憶手段に記憶されたスケジュール情報と作業者台帳とから、所定の日時に作業を行う作業者の識別情報の一覧表を作成する作成ステップと、情報取得手段が、来訪者の識別情報を取得する取得ステップと、情報取得手段が来訪者の識別情報を取得すると、判定手段が、一覧表を参照して取得ステップにより取得された識別情報と、一覧表に含まれる個人情報とが一致する場合には来訪者の入館を許可し、一致しない場合には来訪者の入館を許可しないと判定する判定ステップと、出力手段が、判定ステップによる判定結果を出力する出力ステップとを備えたことを特徴とする。
【発明の効果】
【００１１】
本発明によれば、予め記憶された、作業の予定に関するスケジュール情報と作業を行う業者の識別情報の一覧に関する業者台帳とから所定の日時に作業を行う所定の業者の識別情報の一覧表を作成し、この一覧表に含まれる識別情報と来訪者から取得した識別情報と比較し、これらが一致する場合には来訪者の入館を許可し、一致しない場合には来訪者の入館を許可しないようにすることにより、来訪者の受付時におけるＩＤやパスワードの発行やクレジットカードの認証などの各種受付作業が不要となるので、受付作業の効率を向上させることができる。
【発明を実施するための最良の形態】
【００１２】
以下、図面を参照して、本発明の実施の形態について詳細に説明する。
【００１３】
［入館管理システムの構成］
図１に示すように、本実施の形態に係る入館管理システムは、本日入館する外部業者の一覧表を作成するＢＭＳ（Building Management System）１と、このＢＭＳ１から受信する一覧表に基づいて入館者の受付作業を行う入館受付端末２と、インターネット、ＬＡＮ（Local Area Network）、ＷＡＮ（Wide Area Network）、電話回線、無線通信回線等の公知のネットワークからなるネットワーク３とを少なくとも備えている。
【００１４】
＜ＢＭＳの構成＞
ＢＭＳ１は、操作入力部１１と、表示部１２と、送受信部１３と、一覧作成部１４と、スケジュール管理部１５と、管理者確認部１６と、記憶部１７とを少なくとも備え、これらがバス等により接続されている。
【００１５】
操作入力部１１は、ＢＭＳ１の管理者の操作入力をキーボードやマウスなどの公知の入力装置を介して検出する機能部である。
【００１６】
表示部１２は、ＢＭＳ１の各種情報をＣＲＴ（Cathode Ray Tube）やＬＣＤ（Liquid Crystal Display）などの公知の表示装置に表示させる機能部である。
【００１７】
送受信部１３は、ネットワーク３を介して入館受付端末２や他の装置と各種情報の送受信を行う機能部である。この送受信部１３は、メーラーや音声通話を実現する機能も備えており、電子メールの送受信、各種データの送受信、音声通話等を行うことができる。
【００１８】
一覧作成部１４は、入館受付端末２が設置された建造物に、外部業者により行われる保全作業の一覧表を作成する機能部である。この一覧表は、ネットワーク３を介して送受信することができる電子データの形式で作成される。
【００１９】
スケジュール管理部１５は、入館受付端末２が設置された建造物における保全作業のスケジュールを示す後述する保全スケジュール１７２を作成する機能部である。
【００２０】
管理者確認部１６は、一覧作成部１４により作成された一覧表において、実施の有無や内容が未確認の作業をＢＭＳ１または入館受付端末２の管理者に確認させる機能部である。
【００２１】
記憶部１７は、ＢＭＳ１の各動作に必要な情報を記憶する機能部であり、業者台帳１７１と、保全スケジュール１７２とを少なくとも記憶している。
【００２２】
業者台帳１７１は、図２に示すように、業者名、担当者名、携帯電話機の電話番号からなる連絡先、担当する作業など、入館受付端末２が設置された建造物に対して保全や修繕作業を行う業者に関するデータを、業者や担当者毎に記録したものである。
【００２３】
保全スケジュール１７２は、図３に示すように、定期的または不定期な作業の何れであるか示す作業種別、行われる作業の内容に関する作業内容、作業の開始時刻に関する開始予定時刻、作業の終了時刻に関する終了予定時刻、該当する作業の実施の確認の有無およびこの確認を行うＢＭＳ１または入館受付端末２の管理者に関する管理者確認、作業を行う業者が外部または内部の何れであるかを示す内外区分など、入館受付端末２が設置された建造物に対して行われる保全や修繕作業のスケジュールに関するデータを、各作業毎に記録したものである。
【００２４】
管理者データ１７３は、図４に示すように、管理者の名前、各管理者が担当する保全や修繕作業に関する情報を示す担当設備、各管理者の携帯電話番号を示す連絡先、各管理者のメールアドレスなどＢＭＳ１または入館受付端末２が設置された建造物の各管理者に関するデータを、管理者毎に記録したものである。
【００２５】
このようなＢＭＳ１は、ＣＰＵ等の演算装置と、メモリ、ＨＤＤ（Hard Disc Drive）等の記憶装置と、キーボード、マウス、ポインティングデバイス、ボタン、タッチパネル等の外部から情報の入力を検出する入力装置と、インターネット、ＬＡＮ、ＷＡＮ等の通信回線を介して各種情報の送受信を行うＩ/Ｆ装置と、ＣＲＴ、ＬＣＤまたはＦＥＤ等の表示装置を備えたコンピュータと、このコンピュータにインストールされたプログラムとから構成される。すなわちハードウェア装置とソフトウェアとが協働することによって、上記のハードウェア資源がプログラムによって制御され、上述した操作入力部１１、表示部１２、送受信部１３、一覧作成部１４、スケジュール管理部１５、管理者確認部１６および記憶部１７が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００２６】
＜入館受付端末の構成＞  
入館受付端末２は、操作入力部２１と、表示部２２と、送受信部２３と、確認部２４と、来訪者認証部２５と、入館判定部２６とを少なくとも備え、これらがバス等により接続されている。
【００２７】
操作入力部２１は、入館受付端末２の管理者の操作入力をキーボードやマウスなどの公知の入力装置を介して検出する機能部である。
【００２８】
表示部２２は、入館受付端末２の各種情報をＣＲＴやＬＣＤなどの公知の表示装置に表示させる機能部である。
【００２９】
送受信部２３は、ネットワーク３を介してＢＭＳ１や他の装置と各種情報の送受信を行う機能部である。この送受信部２３は、メーラーや音声通話を実現する機能も備えており、電子メールの送受信、各種データの送受信、音声通話等を行うことができる。
【００３０】
確認部２４は、一覧表の内容や来訪者について入館受付端末２の管理者に確認作業を行わせる機能部である。
【００３１】
来訪者認証部２５は、入館受付端末２が設置された建造物への来訪者の認証を行う機能部である。
【００３２】
入館判定部２６は、入館受付端末２が設置された建造物への来訪者の入館を許可するか否かを判定する機能部である。
【００３３】
記憶部２７は、入館受付端末２の各動作に必要な情報を記憶する機能部であり、一覧表２７１と、管理者データ２７２とを記憶している。
【００３４】
一覧表２７１は、ＢＭＳ１の一覧作成部１４により作成された一覧表である。この一覧表は、ＢＭＳ１から送信され、記憶部２７に格納される。
【００３５】
管理者データ２７２は、ＢＭＳ１の記憶部１７に記憶された管理者データ１７３と同様、図４に示すように、管理者の名前、各管理者が担当する保全や修繕作業に関する情報を示す担当設備、各管理者の携帯電話番号を示す連絡先、ＢＭＳ１または各管理者のメールアドレスなど入館受付端末２が設置された建造物の各管理者に関するデータを、管理者毎に記録したものである。
【００３６】
このような入館受付端末２は、ＣＰＵ等の演算装置と、メモリ、ＨＤＤ等の記憶装置と、キーボード、マウス、ポインティングデバイス、ボタン、タッチパネル等の外部から情報の入力を検出する入力装置と、インターネット、ＬＡＮ、ＷＡＮ等の通信回線を介して各種情報の送受信を行うＩ/Ｆ装置と、ＣＲＴ、ＬＣＤまたはＦＥＤ等の表示装置を備えたコンピュータと、このコンピュータにインストールされたプログラムとから構成される。すなわちハードウェア装置とソフトウェアとが協働することによって、上記のハードウェア資源がプログラムによって制御され、上述した操作入力部２１、表示部２２、送受信部２３、確認部２４、来訪者認証部２５、入館判定部２６および記憶部２７が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００３７】
［入館管理システムの動作］
次に、本実施の形態に係る入館管理システムの動作について説明する。なお、以下においては、ＢＭＳ１による一覧表の作成動作と、入館受付端末２によるその一覧表を用いた入館受付動作についてそれぞれ説明する。
【００３８】
＜一覧表作成動作＞  
まず、ＢＭＳ１による一覧表の作成動作について説明する。
【００３９】
図５に示すように、ＢＭＳ１の一覧作成部１４は、日付が変わると、記憶部１７の保全スケジュール１７２から本日行われる作業に関する情報を抽出する（ステップＳ１）。この保全スケジュール１７２には、図３に示すように、ＢＭＳ１が管理する入館受付端末２が配置された建造物の保全や修繕作業のスケジュールが記録されている。一覧作成部１４は、その中から当日行われる作業を抽出する。なお、保全スケジュール１７２は、スケジュール管理部１５により、操作入力部１１により検出されたＢＭＳ１の管理者による操作入力や送受信部１３により外部から受信した各種情報に基づいて予め作成され、記憶部１７に格納されている。
【００４０】
本日行われる作業を抽出すると、一覧作成部１４は、その作業に外部業者の作業が含まれているか否かを確認する（ステップＳ２）。この確認は、保全スケジュール１７２から抽出した情報に基づいて行われる。具体的には、図３に示す保全スケジュール１７２の場合、各作業に対応する内外区分のレコードに含まれるデータを確認することにより行われる。すなわち、内外区分のレコードの値が、「外」の場合は外部業者の作業、「内」の場合は内部業者の作業として判断する。
【００４１】
外部業者の作業が含まれていない場合（ステップＳ２：ＮＯ）、ＢＭＳ１は、一覧作成部１４により一覧表を作成せず、ステップＳ１の処理に戻る。
【００４２】
一方、外部業者の作業が含まれている場合（ステップＳ２：ＹＥＳ）、一覧作成部１４は、保全スケジュール１７２から抽出した本日行われる作業と、記憶部１７の業者台帳１７１とに基づいて、一覧表を作成する（ステップＳ３）。具体的には、保全スケジュール１７２から抽出した作業から外部業者により行われる作業とのみを抜粋し、この作業の担当者に関する情報を業者台帳１７１から抽出し、これらから入館受付端末２の管理者にとって余分な情報を削除した上で所定の形式に加工した一覧表を生成する。これにより、例えば、図６に示すような一覧表が作成される。この図６に示す一覧表には、業者名、作業者名、作業内容、その作業者または業者の携帯電話機の電話番号からなる連絡先、作業の開始予定時刻、作業の終了予定時刻、該当する作業の実施の有無や内容の確認が行われたか否かおよびその確認を行うＢＭＳ１または入館受付端末２の管理者に関する情報を表す管理者確認などの情報が含まれる。
【００４３】
一覧表を作成すると、管理者確認部１６は、その一覧表に含まれる各作業のうち管理者が未確認の作業があるか否かを確認する（ステップＳ４）。これは、例えば、図６に示す一覧表の場合、「管理者」と「確認」のレコードの値を確認することにより行われる。図６の業者Ａの作業では、「管理者」のレコードの値が「Ｘ」となっており、「確認」のレコードの値が「空欄」となっている。これは、その作業が未確認であり、その確認を行う管理者はＸであることを意味している。一方、図６の業者Ｃによる作業は、「管理者」のレコードの値が「Ｙ」となっており、「確認」のレコードの値が「○」となっている。これは、その作業が、管理者「Ｙ」によって確認済みであることを示している。
【００４４】
未確認の作業がある場合（ステップＳ４：ＹＥＳ）、管理者確認部１６は、その作業の確認を行う担当者に、確認を行うよう依頼する（ステップＳ５）。具体的には、管理者確認部１６は、作成された一覧表の「管理者」と「確認」のレコードを確認することにより、未確認の作業を確認する管理者を特定する。この管理者を特定すると、管理者データ１７３からその管理者のメールアドレスを抽出し、このメールアドレスに宛てて未確認の作業の確認を依頼する旨を記載した電子メールを作成する。作成された電子メールは、送受信部１３によりネットワーク３を介して送信される。
【００４５】
未確認の作業がない場合（ステップＳ４：ＮＯ）または確認を依頼する電子メールが送信されると、送受信部１３は、一覧作成部１４により作成された一覧表を、入館受付端末２に送信する（ステップＳ６）。これにより、図６に示すような本日行われる外部業者による作業が記載された一覧表が、入館受付端末２に送信される。なお、一覧表は、電子データの形式で入館受付端末２に送信される。
【００４６】
＜入館受付動作＞
次に、入館受付端末２による入館受付動作について説明する。
【００４７】
送受信部２３によりＢＭＳ１から一覧表を受信すると（ステップＳ１１：ＹＥＳ）、入館受付端末２は、確認部２４により、その一覧表に含まれる各作業のうち管理者が未確認の作業があるか否かを確認する（ステップＳ１２）。これは、上述した図５のステップＳ４の処理と同様、例えば、図６に示す一覧表の場合、「管理者確認」のレコードの値を確認することにより行われる。
【００４８】
未確認の作業がある場合（ステップＳ１２：ＹＥＳ）、確認部２４は、その作業の確認を行う担当者に、確認を行うよう依頼する（ステップＳ１３）。これは、上述した図５のステップＳ５の処理と同様、作成された一覧表の「管理者確認」のレコードから未確認の作業を確認する管理者を特定し、管理者データ１７３からその管理者のメールアドレスを抽出し、このメールアドレスに宛てて未確認の作業の確認を依頼する旨を記載した電子メールを作成することにより行われる。作成された電子メールは、送受信部２３によりネットワーク３を介して送信される。
【００４９】
未確認の作業がない場合（ステップＳ１２：ＮＯ）または確認を依頼する電子メールが送信されると、一覧表に掲載された外部業者の来訪を待機する。すなわち、来訪者認証部２５により、来訪者の識別情報を受信したか否かを確認する（ステップＳ１４）。本実施の形態に係る入館受付システムでは、入館受付端末２に配設された建造物に来訪した外部業者に対して、所持している携帯電話機により入館受付端末２に電話をかけさせ、これにより受信する携帯電話機の発信者番号を、その外部業者の識別情報として扱う。
【００５０】
送受信部２３により携帯電話機の発信者番号を受信したことが検出されると（ステップＳ１４：ＹＥＳ）、入館判定部２６は、その発信者番号と記憶部２７に格納された一覧表２７１とを照合する（ステップＳ１５）。これは、例えば図６に示す一覧表の場合、「連絡先」のレコードに格納された電話番号と、受信した発信者番号とを比較することにより行われる。
【００５１】
発信者番号と一覧表に掲載された電話番号とが一致した場合（ステップＳ１６：ＹＥＳ）、入館判定部２６は、その発信者番号に対応する携帯電話機を所持している外部業者の入館を許可する（ステップＳ１７）。この許可は、例えば、入館受付端末２の表示画面に入館を許可する旨の表示をさせたり、入館受付端末２から入館を許可する旨の音声メッセージを出力させたり、外部業者の携帯電話機に入館を許可する旨の音声メッセージを送出したりすることにより行うようにしてもよい。
【００５２】
また、入館判定部２６は、来訪した外部業者の入館を許可した旨を、管理者に通知する（ステップＳ２１）。この通知は、例えば、電子メールなどにより行われる。
【００５３】
一方、発信者番号と一覧表に掲載された電話番号とが一致しない場合（ステップＳ１６：ＮＯ）、入館判定部２６は、確認部２４により電話をかけた外部業者の確認を要求する旨の指示を、入館受付端末２の管理者に対して行う（ステップＳ１８）。この指示は、入館受付端末２の表示画面に確認を要求する旨の表示をさせたり、入館受付端末２から確認を要求する旨の音声メッセージを出力させたりすることにより行うようにしてもよい。
【００５４】
確認部２４により、管理者によって発信者番号と一覧表とが一致しない外部業者の識別情報を特定したことが検出されると（ステップＳ１９：ＹＥＳ）、入館判定部２６は、その外部業者の入館を許可する（ステップＳ１７）。一方、確認部２４により、外部業者の識別情報が特定できないことが検出されると（ステップＳ１９：ＹＥＳ）、入館判定部２６は、その外部業者の入館を許可しない（ステップＳ２０）。
【００５５】
外部業者の識別情報の特定は、管理者がその外部業者に直接問い尋ねたり、その外部業者から身分を証明する書類を提示してもらったりすることにより行うようにしてもよい。来館した外部業者が作業を行う外部業者であることが確認されると、管理者は、キーやマウスなどの入力装置を介して操作入力を行うことにより、識別情報を特定したまたは特定できない旨を入館受付端末２に入力する。その操作入力に関する情報は、操作入力部２１により検出され、確認部２４に送出される。
【００５６】
入館を許可しない場合、入館判定部２６は、入館受付端末２の表示画面に入館を許可しない旨の表示をさせたり、入館受付端末２から入館を許可しない旨の音声メッセージを出力させたり、外部業者の携帯電話機に入館を許可しない旨の音声メッセージを送出したりするようにしてもよい。  
【００５７】
以上説明したように、本実施の形態によれば、保全スケジュールと業者台帳とから所定の日時に作業を行う所定の業者の一覧表を作成して入館受付端末２に送信し、入館受付端末２において、受信した一覧表に含まれる携帯電話機の番号と来訪者の携帯電話機の発信者番号と比較し、これらが一致する場合には来訪者の入館を許可し、一致しない場合には来訪者の入館を許可しないようにすることにより、従来のようにＩＤやパスワードの発行、クレジットカードの認証などの来訪者の受付時における作業が不要となるので、結果として、受付作業の効率を向上させることができる。
【００５８】
なお、本実施の形態において、入館を許可するか否かを外部業者の携帯電話機の電話番号に基づいて行うようにしたが、その外部業者を識別できるのであれば、例えば、顔写真、指紋、虹彩、静脈形状など様々な情報を用いることができる。この場合、一覧表に外部業者を識別するための情報を含めるとともに、その情報を認識するための装置を入館受付端末２に設けることにより、実現することができる。
【産業上の利用可能性】
【００５９】
本発明は、個人や団体の認証を行う各種システムに適用することができる。
【図面の簡単な説明】
【００６０】
【図１】本発明の入館管理システムの構成を示す図である。
【図２】業者台帳のデータ構成を模式的に示す図である。
【図３】保全スケジュールのデータ構成を模式的に示す図である。
【図４】管理者データのデータ構成を模式的に示す図である。
【図５】一覧表作成動作を示すフローチャートである。
【図６】一覧表のデータ構成を模式的に示す図である。
【図７】入館受付動作を示すフローチャートである。
【符号の説明】
【００６１】
１…ＢＭＳ、２…入館受付端末、３…ネットワーク、１１…操作入力部、１２…表示部、１３…送受信部、１４…一覧作成部、１５…スケジュール管理部、１６…管理者確認部、１７…記憶部、２１…操作入力部、２２…表示部、２３…送受信部、２４…確認部、２５…来訪者認証部、２６…入館判定部、２７…記憶部、１７１…業者台帳、１７２…保全スケジュール、２７１…一覧表、２７２…管理者データ。
【図１】
2009245097.tif 000003
【図２】
2009245097.tif 000004
【図３】
2009245097.tif 000005
【図４】
2009245097.tif 000006
【図５】
2009245097.tif 000007
【図６】
2009245097.tif 000008
【図７】
2009245097.tif 000009